(57)【要約】【課題】転写部から外部への浮遊トナーの漏出を低減することができる画像形成装置を提供する。【解決手段】像保持体と、像保持体表面に形成されたトナー像を記録媒体に転写する転写手段と、転写手段の軸方向に沿って転写手段を覆うように配設され、転写手段に対向する部位に正面開口が設けられると共に、正面開口と対向する壁面の一部が転写手段に接触して転写手段にバイアス電圧を印加する導電性材料で形成されて給電手段と、給電手段により転写手段に印加される電流を検知する電流検知手段を備えた。【選択図】図３
2015232623.tif 000002
【特許請求の範囲】
【請求項１】
像保持体と、
前記像保持体表面に形成されたトナー像を記録媒体に転写する転写手段と、
前記転写手段の軸方向に沿って前記転写手段を覆うように配設され、前記転写手段に対向する部位に正面開口が設けられると共に、前記正面開口と対向する壁面の一部が前記転写手段に接触して前記転写手段にバイアス電圧を印加する給電手段と、を備えた、
ことを特徴とする画像形成装置。
【請求項２】
前記給電手段が、導電性材料で形成されている、
ことを特徴とする請求項１に記載の画像形成装置。
【請求項３】
前記転写手段に印加される前記バイアス電圧が、前記転写手段が前記像保持体に接触している状態で前記トナー像のトナーの帯電極性と同極性であり、前記転写手段が前記記録媒体を介して前記像保持体に接触している状態で前記トナー像のトナーの帯電極性と逆極性である、
ことを特徴とする請求項１又は２に記載の画像形成装置。
【請求項４】
前記給電手段により前記転写手段に印加される電流を検知する電流検知手段を更に備え、
前記転写手段が前記像保持体に接触している状態で前記バイアス電圧を印加した際に前記電流検知手段で検知される電流と、前記転写手段が前記記録媒体を介して前記像保持体に接触している状態で前記バイアス電圧を印加した際に前記電流検知手段で検知される電流との差分に基づいて前記転写手段に印加されるバイアス電圧を決定する、
ことを特徴とする請求項１ないし３のいずれか１項に記載の画像形成装置。
【発明の詳細な説明】
【技術分野】
【０００１】
本発明は、画像形成装置に関する。
【背景技術】
【０００２】
像担持体と、この像担持体上に形成されたトナー像を転写材上に転写すべく所定のバイアスが印加された転写部材と、この転写部材を像担持体に圧接し、かつ、像担持体上のトナーの帯電極性と反対極性となるような所定のバイアスが印加された圧接部材とを有する画像形成装置が知られている（特許文献１）。
【０００３】
トナーによって可視化されたトナー像を担持する像担持体ベルトと、像担持体ベルトに対して圧接可能に設けられ、像担持体ベルトに担持されたトナー像を記録媒体に転写させる転写ロールと、像担持体ベルトとの圧接によって転写ロールに付着したトナーをかき乱すトナー拡散手段とを備えた画像形成装置も知られている（特許文献２）。
【先行技術文献】
【特許文献】
【０００４】
【特許文献１】特開平０８−６３０１２号公報
【特許文献２】特開２０００−１８７４０５号公報
【発明の概要】
【発明が解決しようとする課題】
【０００５】
本発明は、転写部から外部への浮遊トナーの漏出を低減することを目的とする。
【課題を解決するための手段】
【０００６】
前記課題を解決するために、請求項１記載の画像形成装置は、
像保持体と、
前記像保持体表面に形成されたトナー像を記録媒体に転写する転写手段と、
前記転写手段の軸方向に沿って前記転写手段を覆うように配設され、前記転写手段に対向する部位に正面開口が設けられると共に、前記正面開口と対向する壁面の一部が前記転写手段に接触して前記転写手段にバイアス電圧を印加する給電手段と、を備えた、
ことを特徴とする。
【０００７】
請求項２記載の発明は、請求項１に記載の画像形成装置において、
前記給電手段が、導電性材料で形成されている、
ことを特徴とする。
【０００８】
請求項３記載の発明は、請求項１又は２に記載の画像形成装置において、
前記転写手段に印加される前記バイアス電圧が、前記転写手段が前記像保持体に接触している状態で前記トナー像のトナーの帯電極性と同極性であり、前記転写手段が前記記録媒体を介して前記像保持体に接触している状態で前記トナー像のトナーの帯電極性と逆極性である、
ことを特徴とする。
【０００９】
請求項４記載の発明は、請求項１ないし３のいずれか１項に記載の画像形成装置において、
前記給電手段により前記転写手段に印加される電流を検知する電流検知手段を更に備え、
前記転写手段が前記像保持体に接触している状態で前記バイアス電圧を印加した際に前記電流検知手段で検知される電流と、前記転写手段が前記記録媒体を介して前記像保持体に接触している状態で前記バイアス電圧を印加した際に前記電流検知手段で検知される電流との差分に基づいて前記転写手段に印加されるバイアス電圧を決定する、
ことを特徴とする。
【発明の効果】
【００１０】
請求項１に記載の発明によれば、転写手段を覆うように配設され、転写手段に接触して転写手段に電力を供給する給電手段を有しない場合に比して、漏出した浮遊トナーが付着することによる周辺部材及び記録媒体の汚れを抑制することができる。
請求項２に記載の発明によれば、給電手段が導電性材料で形成されていない場合に比して、浮遊トナーの飛散を抑制することができる。
請求項３に記載の発明によれば、転写手段に印加されるバイアス電圧が、転写手段が像保持体に接触している状態でトナー像のトナーの帯電極性と同極性のバイアス電圧ではない場合に比して、トナーの転写手段への付着を抑制することができる。
請求項４に記載の発明によれば、電流検知手段を備えていない場合に比して、転写手段に印加されるバイアス電圧を的確に決定することができる。
【図面の簡単な説明】
【００１１】
【図１】画像形成装置１の内部構成を示す縦断面模式図である。
【図２】二次転写ローラ５３及びをシールド部材５４含む転写装置５０の内部構成を示す断面模式図である。
【図３】二次転写ローラ５３、シールド部材５４及び給電系の構成を示す要部断面模式図である。
【図４】電流検出部１４１によって検知された電流値を用いて二次転写バイアスの定電圧制御を行う制御を説明する模式図である。
【図５】シールド部材５４に負極性の電圧を印加してクリーニングモードを実行するときのトナーの移動を説明する模式図である。
【図６】シールド部材５４に正極性の二次転写バイアスが印加されたときの二次転写部Ｔにおけるトナークラウドの移動を説明する模式図である。
【発明を実施するための形態】
【００１２】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００１３】
（１）画像形成装置の全体構成及び動作
図１は本実施形態に係る画像形成装置１の内部構成を示す断面模式図である。
以下、図面を参照しながら、画像形成装置１の全体構成及び動作を説明する。
【００１４】
画像形成装置１は、制御装置１０、給紙装置２０、感光体ユニット３０、現像装置４０、転写装置５０、定着装置６０、を備えて構成されている。画像形成装置１の上面（Ｚ方向）には、画像が記録された用紙が排出・収容される排出トレイ１ａが形成されている。
【００１５】
制御装置１０は、画像形成装置１の動作を制御する画像形成装置制御部１１と、印刷処理要求に応じた画像データを準備するコントローラ部１２、露光ヘッドＬＨの点灯を制御する露光制御部１３、電源装置１４等を有する。電源装置１４は、後述する帯電ローラ３２、現像ローラ４２、一次転写ローラ５２、給電手段の一例としてのシールド部材５４等に電圧を印加するとともに、露光ヘッドＬＨ、給紙装置２０、定着装置６０及び備えられた各センサ等に電力を供給する。
【００１６】
コントローラ部１２は、外部の情報送信装置（例えばパーソナルコンピュータ等）から入力された印刷情報を潜像形成用の画像情報に変換して予め設定されたタイミングで、駆動信号を露光ヘッドＬＨに出力する。本実施形態の露光ヘッドＬＨは、複数の発光素子（ＬＥＤ：Light  Emitting  Diode）が主走査方向に沿って線状に配列されたＬＥＤヘッドにより構成されている。
【００１７】
画像形成装置１の底部には、給紙装置２０が設けられている。給紙装置２０は、用紙積載板２１を備え、用紙積載板２１の上面には多数の記録媒体としての用紙Ｐが積載される。用紙積載板２１に積載され、規制板（不図示）で幅方向位置が決められた用紙Ｐは、上側から１枚ずつ用紙引き出し部２２により前方（−Ｘ方向）に引き出された後、レジストローラ対２３のニップ部まで搬送される。
【００１８】
感光体ユニット３０は、給紙装置２０の上方（Ｚ方向）に、それぞれが並列して設けられ、回転駆動する像保持体としての感光体ドラム３１を備えている。感光体ドラム３１の回転方向にそって、帯電ローラ３２、露光ヘッドＬＨ、現像装置４０、一次転写ローラ５２、クリーニングブレード３４が配置されている。帯電ローラ３２には、帯電ローラ３２の表面をクリーニングするクリーニングローラ３３が対向、接触して配置されている。
【００１９】
現像装置４０は、内部に現像剤が収容される現像ハウジング４１を有する。現像ハウジング４１内には、感光体ドラム３１に対向して配置された現像ローラ４２と、この現像ローラ４２の背面側斜め下方には現像剤を現像ローラ４２側へ撹拌搬送する一対のオーガ４４、４５が配設されている。現像ローラ４２には、現像剤の層厚を規制する層規制部材４６が近接配置されている。
現像装置４０各々は、現像ハウジング４１に収容される現像剤を除いて同様に構成され、それぞれがイエロー（Ｙ）、マゼンタ（Ｍ）、シアン（Ｃ）、黒（Ｋ）のトナー像を形成する。
【００２０】
回転する感光体ドラム３１の表面は、帯電ローラ３２により帯電され、露光ヘッドＬＨから出射する潜像形成光により静電潜像が形成される。感光体ドラム３１上に形成された静電潜像は現像ローラ４２によりトナー像として現像される。
【００２１】
転写装置５０は、各感光体ユニット３０の感光体ドラム３１にて形成された各色トナー像が多重転写される像保持体の一例としての中間転写ベルト５１、各感光体ユニット３０にて形成された各色トナー像を中間転写ベルト５１に順次転写（一次転写）する一次転写ローラ５２を備えている。さらに、中間転写ベルト５１上に重畳して転写された各色トナー像を用紙Ｐに一括転写（二次転写）する転写手段の一例としての二次転写ローラ５３、二次転写ローラ５３に二次転写バイアスを給電する給電手段の一例としてのシールド部材５４とから構成されている。
【００２２】
各感光体ユニット３０の感光体ドラム３１に形成された各色トナー像は、画像形成装置制御部１１により制御される電源装置１４等から所定の転写電圧が印加された一次転写ローラ５２により中間転写ベルト５１上に順次静電転写（一次転写）され、各色トナーが重畳された重畳トナー像が形成される。
【００２３】
中間転写ベルト５１上の重畳トナー像は、中間転写ベルト５１の移動に伴って二次転写ローラ５３が配置された領域（二次転写部Ｔ）に搬送される。重畳トナー像が二次転写部Ｔに搬送されると、そのタイミングに合わせて給紙装置２０から用紙Ｐが二次転写部Ｔに供給される。そして、シールド部材５４には、画像形成装置制御部１１により制御される電源装置１４等から所定の転写電圧が印加され、レジストローラ対２３から送り出され、搬送ガイドにより案内された用紙Ｐに中間転写ベルト５１上の多重トナー像が一括転写される。
【００２４】
感光体ドラム３１表面の残留トナーは、クリーニングブレード３４により除去され、廃現像剤収容部に回収される。感光体ドラム３１の表面は、帯電ローラ３２により再帯電される。尚、クリーニングブレード３４で除去しきれず帯電ローラ３２に付着した残留物は、帯電ローラ３２に接触して回転するクリーニングローラ３３表面に捕捉され、蓄積される。
【００２５】
定着装置６０は、定着ユニット６００、搬送ローラ対６８、排出ローラ対６９を備えて構成されている。定着ユニット６００は、加熱モジュール６１と加圧モジュール６２を有し、加熱モジュール６１と加圧モジュール６２の圧接領域によって定着ニップ部Ｎ（定着領域）が形成される。
【００２６】
転写装置５０においてトナー像が転写された用紙Ｐは、トナー像が未定着の状態で搬送ガイドを経由して定着装置６０に搬送される。定着装置６０に搬送された用紙Ｐは、一対の加熱モジュール６１と加圧モジュール６２により、圧着と加熱の作用でトナー像が定着される。
定着トナー像が形成された用紙Ｐは、搬送ローラ対６８を介して排出ローラ対６９から画像形成装置１上面の排出トレイ１ａに排出される。
【００２７】
（２）転写装置の構成
図２は二次転写ローラ５３及びをシールド部材５４含む転写装置５０の内部構成を示す断面模式図、図３は二次転写ローラ５３、シールド部材５４及び給電系の構成を示す要部断面模式図、図４は電流検出部１４１によって検知された電流値を用いて二次転写バイアスの定電圧制御を行う制御を説明する模式図である。
以下、図面を参照しながら転写装置５０の構成について説明する。
【００２８】
（２．１）転写装置の構成
図２に示すように、転写装置５０は、像保持体の一例としての中間転写ベルト５１が駆動ローラＤＲ、支持ローラＳＲで循環移動可能に張架された状態で、裏面５１ｂ側から一次転写ローラ５２に支持されて、表面５１ａ側がそれぞれの感光体ドラム３１に接触して配置されている。
また、転写装置５０は、中間転写ベルト５１上に存在する残留トナー等を除去する中間転写ベルトクリーナ５８を備えている。
【００２９】
中間転写ベルト５１は、ポリイミドあるいはポリアミド等の樹脂にカーボンブラック等の導電剤を適当量含有させたものが用いられ、その体積抵抗率が１０６〜１０１４Ω・ｃｍとなるように形成されており、その厚みは例えば、０．１ｍｍ程度のフィルム状の無端ベルトで構成されている。
【００３０】
一次転写部は、中間転写ベルト５１を挟んで、各感光体ドラム３１に対向して設けられる一次転写ローラ５２で構成され、各一次転写ローラ５２には、トナーの帯電極性と逆極性の電圧（一次転写バイアス）が印加されるようになっている。これにより、各々の感光体ドラム３１上のトナー像が中間転写ベルト５１に順次、静電吸引され、中間転写ベルト５１上に重畳されたトナー像が形成されるようになっている。
一次転写ローラ５２としては、例えば、外径８ｍｍの円筒形で、ＳＵＳ、鉄、アルミなど従来公知の金属を用いることができるが、特に金属表面にニッケル、銅、クロム等のメッキ処理を施したものが好適に用いられる。
【００３１】
二次転写部は、中間転写ベルト５１を挟んで対向ローラを兼ねた駆動ローラＤＲに対向して配置された転写手段の一例としての二次転写ローラ５３と、給電部５４ｂが二次転写ローラ５３に接触して配置された給電手段の一例としてのシールド部材５４で構成されている。
そして、シールド部材５４には、二次転写バイアスを供給するように電源装置１４の転写バイアス電源１４０が接続され、転写バイアス電源１４０は二次転写バイアスを生成し、生成した二次転写バイアスを、シールド部材５４を介して二次転写ローラ５３に印加する。
【００３２】
二次転写ローラ５３は、シャフト５３ａと、シャフト５３ａの周囲に固着された弾性体層５３ｂとで構成されている。シャフト５３ａは鉄、ＳＵＳ等の金属で構成された円柱棒である。弾性体層５３ｂは例えば体積抵抗率が１０６〜１０１０Ω・ｃｍの半導電性ゴムからなり、中間転写ベルト５１を介して駆動ローラＤＲに対向して配置される。
二次転写ローラ５３は、給紙装置２０から搬送される用紙Ｐに対して、駆動ローラＤＲとともに中間転写ベルト５１が保持するトナー像を二次転写する二次転写部Ｔを形成する。
【００３３】
駆動ローラＤＲは、中間転写ベルト５１の内面に接触して中間転写ベルト５１を循環駆動させるための摩擦力を発揮できる、例えばカーボンを分散したＥＰＤＭゴムからなり、ローラ径が２８ｍｍとなるように形成され、硬度は例えば７０度（アスカーＣ）に設定されている。そして、駆動ローラＤＲは接地して配置され、二次転写ローラ５３の対向電極をなしている。
【００３４】
（２．２）シールド部材
図３に示すように、シールド部材５４は、内部に二次転写ローラ５３を回転自在に支持した状態で収容し、二次転写ローラ５３が中間転写ベルト５１に接触して転写ニップＮｔを形成する領域には、二次転写ローラ５３の軸方向に沿って開口部５４ａを有している。
【００３５】
二次転写ローラ５３に対向して、用紙Ｐの搬送方向上流側及び下流側はそれぞれ壁部５４ｃ、５４ｄが形成され、用紙Ｐの搬送方向上流側の壁部５４ｃには、レジストローラ対２３から送り出された用紙Ｐを転写ニップＮｔへ案内する用紙案内ガイド５４ｅが一体に形成されている。
開口部５４ａと対向する底面には、二次転写ローラ５３の表面と接触する給電部５４ｂが形成され、二次転写ローラ５３と給電ニップＮｐを形成している。
【００３６】
シールド部材５４は、導電性材料で形成され、例えば、アルミニウム、銅、ステンレス等の金属板を折り曲げて形成することができる。
また、シールド部材５４は、カーボンフィラー、金属フィラー等の導電性フィラーを含有するプラスチック、導電性塗料が塗布されたプラスチック等から形成することもできる。
【００３７】
このように構成されるシールド部材５４は、開口部５４ａから中間転写ベルト５１表面と接触して転写ニップＮｔを形成する二次転写ローラ５３の表面の一部を露出させて二次転写ローラ５３を収容した一体ハウジングとして形成され、画像形成装置１本体に対して着脱される交換可能なユニットとして構成されている。
【００３８】
内部に二次転写ローラ５３を収容したシールド部材５４は、バネ部材（不図示）によって駆動ローラＤＲを対向ローラとして二次転写部Ｔを形成する中間転写ベルト５１へ向かって圧接するように付勢されている。
【００３９】
（２．３）給電
シールド部材５４に接続して、二次転写バイアスを供給するように電源装置１４の一部を構成する転写バイアス電源１４０が設けられている。
転写バイアス電源１４０は二次転写バイアスを生成し、生成した二次転写バイアスを、シールド部材５４の給電部５４ｂを介して二次転写ローラ５３に安定的に印加する。
対向ローラを兼ねた駆動ローラＤＲは中間転写ベルト５１を挟んで二次転写バイアスが印加された二次転写ローラ５３に対向して接地（接地電圧ＧＮＤ）されている。
【００４０】
転写バイアス電源１４０から、シールド部材５４の給電部５４ｂを介して二次転写ローラ５３に、トナーの帯電極性と逆極性（正極性）の電圧（正電圧の転写電界（二次転写バイアス））が供給されると、二次転写ローラ５３と駆動ローラＤＲとの間に転写電界が形成される。そして、中間転写ベルト５１上に保持された未定着のトナー像は、二次転写ローラ５３と駆動ローラＤＲとによって押圧される二次転写部Ｔにおいて、用紙Ｐ上に一括して静電転写される。
【００４１】
トナー像が形成されない状態で、中間転写ベルト５１が二次転写部Ｔを通過する際には、転写バイアス電源１４０から、シールド部材５４の給電部５４ｂを介して二次転写ローラ５３にトナーの帯電極性と同極性（負極性）の電圧（負電圧の非転写電界（クリーニングバイアス））を供給し、中間転写ベルト５１上に残留するトナーが二次転写ローラ５３に付着するのを抑制するとともに、二次転写ローラ５３に付着したトナーを中間転写ベルト５１に付着させ、二次転写ローラ５３をクリーニングする。
すなわち、転写バイアス電源１４０は、正極性の電圧（正電圧）と負極性の電圧（負電圧）とを切り替えて供給する。
【００４２】
（２．４）転写電流検知
転写バイアス電源１４０は、転写装置５０の二次転写部Ｔにおけるシステム抵抗（中間転写ベルト５１、二次転写ローラ５３、駆動ローラＤＲの抵抗の総和）を測定する電流検出部１４１を備えている。
電流検出部１４１は、二次転写ローラ５３に一定電圧を印加した際のリターン電流を計測するものであり、例えば転写バイアス電源１４０自体のモニター機能を使用することが可能である。
【００４３】
そして、画像形成装置制御部１１は、二次転写ローラ５３に印加する二次転写バイアスを電流検出部１４１によって検知された電流値となる電圧値を用いて定電圧制御を行うように定電圧電源としての転写バイアス電源１４０を制御する。
【００４４】
具体的には、画像形成装置制御部１１では、用紙Ｐが二次転写部Ｔに進入する前の電流検出部１４１からの検出電流Ｉ１をモニターし（図４（ａ））、次いで、用紙Ｐ先端部が二次転写部Ｔに進入した際に電流検出部１４１からの検出電流Ｉ２をモニターする（図４（ｂ））。
そして、モニターされる検出電流Ｉ１，Ｉ２の差分から、システム抵抗と用紙Ｐとの合成抵抗のうち、用紙Ｐの抵抗分を算出して、用紙Ｐの抵抗分による転写電流の損失を加味して、必要な転写電流を決定し、この転写電流に対応する二次転写バイアスを決定する。
【００４５】
（３）転写装置の動作と作用
以上のように構成される転写装置５０を備えた画像形成装置１では、次のようにして、二次転写部Ｔから外部への浮遊トナーの漏出を低減して周辺部材及び記録媒体の汚れを抑制することが可能となっている。図５はシールド部材５４に負極性の電圧を印加してクリーニングモードを実行するときのトナーの移動を説明する模式図、図６はシールド部材５４に正極性の二次転写バイアスが印加されたときの二次転写部Ｔにおけるトナークラウドの移動を説明する模式図である。
【００４６】
まず、画像形成装置１は、転写バイアス電源１４０から、シールド部材５４の給電部５４ｂを介して二次転写ローラ５３にトナーの帯電極性と同極性（負極性）の電圧を供給し、二次転写ローラ５３に付着したトナーＴｓを中間転写ベルト５１に付着させ、二次転写ローラ５３をクリーニングするクリーニングモードを実行する。このクリーニングモードにおいて、二次転写ローラ５３上に付着している負極性の残留トナーＴｓは中間転写ベルト５１上に戻され、中間転写ベルト５１の回転移動にともなって中間転写ベルトクリーナ５８で除去される（図５参照）。
【００４７】
そして、画像形成装置１では、用紙Ｐに中間転写ベルト５１上のトナー像を二次転写する際に、二次転写ローラ５３に印加する二次転写バイアスを電流検出部１４１によって検知された電流値に基づいて、転写バイアス電源１４０によって定電圧制御を行う。
【００４８】
転写バイアス電源１４０によって定電圧制御されて二次転写ローラ５３に印加される二次転写バイアスは、シールド部材５４の給電部５４ｂと二次転写ローラ５３の接触部を介して印加される。
シールド部材５４は、開口部５４ａから中間転写ベルト５１表面と接触して転写ニップＮｔを形成する二次転写ローラ５３の表面の一部を露出させて二次転写ローラ５３を収容した一体ハウジングとして導電性材料で形成され、内部に収容された二次転写ローラ５３に対向して、用紙Ｐの搬送方向上流側及び下流側はそれぞれ壁部５４ｃ、５４ｄが形成されている。
【００４９】
図６（ａ）に模式的に示すように、このように構成されるシールド部材５４の給電部５４ｂに、転写バイアス電源１４０によって定電圧制御された二次転写バイアスが印加されると、壁部５４ｃ、５４ｄも同電位となる。
係る状態で、中間転写ベルト５１が回転移動するとともに、二次転写ローラ５３が回転すると、バイアスクリーニングでは除去されず二次転写ローラ５３上に残留するトナー及び中間転写ベルト５１上に残留するトナーが二次転写部ＴでトナークラウドＴｃ（空気中を浮遊するトナー）として浮遊する等により周辺部材及び記録媒体に付着する虞があるが、トナークラウドＴｃは中間転写ベルト５１と壁部５４ｃ、５４ｄとの電位差による電界で吸引移動されて壁部５４ｃ、５４ｄの内面側に付着してシールド部材５４内に保持される（図６（ａ）参照）。
そのために、トナークラウドＴｃとして漏出する浮遊トナーが付着することによる周辺部材及び記録媒体の汚れを抑制することができる。
【００５０】
また、用紙Ｐへの二次転写が終了した後の中間転写ベルト５１及び二次転写ローラ５３の回転に伴い、二次転写部Ｔで発生するトナークラウドＴｃも中間転写ベルト５１と壁部５４ｃ、５４ｄとの電位差による電界で吸引移動されて壁部５４ｃ、５４ｄに付着してシールド部材５４内に保持される（図６（ｂ）参照）。
【００５１】
尚、二次転写部ＴでトナークラウドＴｃにならない中間転写ベルト５１上の残留トナーは中間転写ベルト５１の回転移動にともなって、中間転写ベルトクリーナ５８で除去される。
そして、定められた期間使用されたシールド部材５４は、二次転写ローラ５３とともに一体ユニットとして画像形成装置１本体に対して脱着・交換される。
【００５２】
以上、本発明に係る実施形態を詳述したが、本発明は上記実施形態に限定されるものではなく、特許請求の範囲に記載された本発明の要旨の範囲内で種々の変更を行うことが可能である。
例えば、本実施形態では像保持体の一例として中間転写ベルトを備えた中間転写方式のカラー画像形成装置について説明したが、像保持体の一例としての感光体ドラム上に保持されたトナー像を記録媒体に転写するモノクロ画像形成装置であっても適用することができる。
【符号の説明】
【００５３】
１・・・画像形成装置
１０・・・制御装置
１４・・・電源装置
１４０・・・転写バイアス電源
１４１・・・電流検出部
２０・・・給紙装置
３０・・・感光体ユニット
３１・・・感光体ドラム
４０・・・現像装置
５０・・・転写装置
５１・・・中間転写ベルト
５２・・・一次転写ローラ
５３・・・二次転写ローラ
５４・・・シールド部材
５４ａ・・・開口部
５４ｂ・・・給電部
５４ｃ、５４ｄ・・・壁部
５４ｅ・・・用紙案内ガイド
６０・・・定着装置
ＤＲ・・・駆動ローラ
Ｎｐ・・・給電ニップ部
Ｎｔ・・・転写ニップ部
【図１】
2015232623.tif 000003
【図２】
2015232623.tif 000004
【図３】
2015232623.tif 000005
【図４】
2015232623.tif 000006
【図５】
2015232623.tif 000007
【図６】
2015232623.tif 000008